(57)【要約】【課題】使用者の手を煩わせることなく、時短で美味しく調理することのできる加圧加熱調理器を提供すること。【解決手段】上面に開口を有する本体１と、本体１の開口を開閉する蓋体１０と、本体１の内部に収容される鍋状容器５と、鍋状容器５を加熱する加熱手段と、鍋状容器５内の圧力を調整する圧力調整手段と、圧力の有無、圧力の強弱、加熱時間、食材の種類、調理方法、及び自動調理メニューの少なくとも１つ以上を指示することが可能な操作部と、加熱手段と圧力調整手段とを制御し、操作部で受け付けた指示内容に応じた調理工程を実行する制御手段８と、を備え、制御手段８は、調理工程において鍋状容器５内を大気圧よりも高圧な第一圧力で加熱する第一加熱工程と、第一圧力よりも低圧な第二圧力で加熱する第二加熱工程と、を備えたものである。【選択図】図１
2015000159.tif 000002
【特許請求の範囲】
【請求項１】
上面に開口を有する本体と、
前記本体の開口を開閉する蓋体と、
前記本体の内部に収容される鍋状容器と、
前記鍋状容器を加熱する加熱手段と、
前記鍋状容器内の圧力を調整する圧力調整手段と、
圧力の有無、圧力の強弱、加熱時間、食材の種類、調理方法、及び自動調理メニューの少なくとも１つ以上を指示することが可能な操作部と、
前記加熱手段と前記圧力調整手段とを制御し、前記操作部で受け付けた指示内容に応じた調理工程を実行する制御手段と、を備え、
前記制御手段は、
前記調理工程において前記鍋状容器内を大気圧よりも高圧な第一圧力で加熱する第一加熱工程と、該第一圧力よりも低圧な第二圧力で加熱する第二加熱工程と、を備えた
ことを特徴とする加圧加熱調理器。
【請求項２】
前記第二圧力は、
大気圧と同じ圧力である
ことを特徴とする請求項１に記載の加圧加熱調理器。
【請求項３】
前記制御手段は、
前記第一加熱工程の後に前記第二加熱工程を行う
ことを特徴とする請求項１又は２に記載の加圧加熱調理器。
【請求項４】
前記制御手段は、
前記第二加熱工程の後に前記第一加熱工程を行う
ことを特徴とする請求項１又は２に記載の加圧加熱調理器。
【請求項５】
前記制御手段は、
前記第一加熱工程において前記加熱手段へ通電し、
前記第二加熱工程において前記加熱手段への通電を遮断する
ことを特徴とする請求項３に記載の加圧加熱調理器。
【請求項６】
前記制御手段は、
前記第二加熱工程において前記鍋状容器の温度が予め設定された範囲内なら前記加熱手段に通電し、
前記鍋状容器の温度が予め設定された範囲外なら前記加熱手段への通電を遮断する
ことを特徴とする請求項１〜４のいずれか一項に記載の加圧加熱調理器。
【請求項７】
前記調理工程は、
前記第二圧力よりも高圧な第三加熱工程を備え、
前記制御手段は、
前記第二加熱工程の後に前記第三加熱工程を行う
ことを特徴とする請求項３に記載の加圧加熱調理器。
【請求項８】
前記制御手段は、
前記第三加熱工程において前記加熱手段に第一電力で通電し、
前記鍋状容器内の内部温度が予め設定された値以上になったら前記加熱手段に前記第一電力よりも小さい第二電力で通電する
ことを特徴とする請求項７に記載の加圧加熱調理器。
【請求項９】
請求項１〜８のいずれか一項に記載の加圧加熱調理器において、
前記鍋状容器内で発生した蒸気を冷却する蒸気冷却手段を備えた
ことを特徴とする加圧加熱調理器。
【請求項１０】
前記蒸気冷却手段は、
内部に水を貯留する水タンクと、
前記鍋状容器内の蒸気を前記水タンクに導く蒸気導管と、を備えた
ことを特徴とする請求項９に記載の加圧加熱調理器。
【請求項１１】
前記蒸気冷却手段は、
前記鍋状容器内から排出された蒸気に送風する送風手段を備えた
ことを特徴とする請求項９に記載の加圧加熱調理器。
【発明の詳細な説明】
【技術分野】
【０００１】
本発明は、肉や魚、野菜、調味料等の食品を入れた鍋状容器を本体内に収容して加圧加熱調理する加圧加熱調理器に関するものである。
【背景技術】
【０００２】
加圧加熱調理器を使用する使用者が加圧加熱調理器に望む機能の１つとして、手間無く、早く、美味しい料理を作ることが挙げられる。
【０００３】
そこで、従来、使用者の手を煩わせることの無い加圧加熱調理器として、「前記入力手段は、前記圧力容器内の圧力を選択する圧力選択手段と、調理時間を設定する時間設定手段と、所定の圧力と時間を設定した複数の調理メニューより選択するメニュー選択手段とを有し、前記制御手段は、前記入力手段からの入力により前記メニュー選択手段にて選択された調理メニューの圧力、時間の少なくともいずれか一方を変更可能とした」加圧加熱調理器が提案されている（例えば、特許文献１参照）。
【０００４】
特許文献１に記載の加圧加熱調理器では、加熱開始後に鍋状容器内を大気圧よりも高い圧力で所望の時間だけ加熱し、その後大気圧の状態に戻す調理工程が行われている。
【先行技術文献】
【特許文献】
【０００５】
【特許文献１】特開２００９−１２５３３４号公報（例えば、請求項１及び図１参照）
【発明の概要】
【発明が解決しようとする課題】
【０００６】
しかしながら、実験によれば、従来この種の加圧加熱調理器のように上記の調理工程よりも、連続して加圧や減圧を行い、一連の調理工程内で常圧加熱や加圧加熱を行う調理工程の方が、時短で美味しく仕上がるということが分かった。
【０００７】
本発明は、以上のような課題を解決するためになされたもので、使用者の手を煩わせることなく、時短で美味しく調理することのできる加圧加熱調理器を提供することを目的としている。
【課題を解決するための手段】
【０００８】
本発明に係る加圧加熱調理器は、上面に開口を有する本体と、前記本体の開口を開閉する蓋体と、前記本体の内部に収容される鍋状容器と、前記鍋状容器を加熱する加熱手段と、前記鍋状容器内の圧力を調整する圧力調整手段と、圧力の有無、圧力の強弱、加熱時間、食材の種類、調理方法、及び自動調理メニューの少なくとも１つ以上を指示することが可能な操作部と、前記加熱手段と前記圧力調整手段とを制御し、前記操作部で受け付けた指示内容に応じた調理工程を実行する制御手段と、を備え、前記制御手段は、前記調理工程において前記鍋状容器内を大気圧よりも高圧な第一圧力で加熱する第一加熱工程と、該第一圧力よりも低圧な第二圧力で加熱する第二加熱工程と、を備えたものである。
【発明の効果】
【０００９】
本発明に係る加圧加熱調理器によれば、自動で圧力の高さが切り替わって調理工程が実行されるため、使用者が加圧加熱調理器の傍でつきっきりで調理する必要がなく、使用者の手を煩わせることがない。
【図面の簡単な説明】
【００１０】
【図１】実施の形態１に係る加圧加熱調理器１００の構成の一例を概略的に示す断面模式図である。
【図２】実施の形態１に係る調理工程と、被加熱物温度、鍋状容器温度、加熱コイルへの通電電力、及び調圧装置の動作の推移を示す図である。
【図３】実施の形態１に係る加圧加熱調理器の調理工程を説明するフローチャートである。
【図４】実施の形態２に係る調理工程と、被加熱物温度、鍋状容器温度、加熱コイルへの通電電力、及び調圧装置の動作の推移を示す図である。
【図５】実施の形態２に係る加圧加熱調理器の調理工程を説明するフローチャートである。
【図６】実施の形態２に係る調理工程の変形例と、被加熱物温度、鍋状容器温度、加熱コイルへの通電電力、及び調圧装置の動作の推移を示す図である。
【図７】実施の形態２に係る調理工程の変形例と、被加熱物温度、鍋状容器温度、加熱コイルへの通電電力、及び調圧装置の動作の推移を示す図である。
【図８】実施の形態３に係る加圧加熱調理器１００Ａの構成の一例を概略的に示す断面模式図である。
【発明を実施するための形態】
【００１１】
以下、本発明に係る加圧加熱調理器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。
【００１２】
実施の形態１．
図１は、実施の形態１に係る加圧加熱調理器１００の構成の一例を概略的に示す断面模式図である。以下、図１に基づいて加圧加熱調理器１００について説明する。
加圧加熱調理器１００は、被加熱物（本実施の形態１では肉・野菜２００及び煮汁２０１）を入れた鍋状容器５を加熱コイル３で加熱することで、被加熱物を調理するものである。図１に示すように、加圧加熱調理器１００は、例えば外観が有底筒状の本体１と、本体１に取り付けられ、本体１の上部に形成された上部開口部を開閉する蓋体１０とを備えている。
【００１３】
（本体１）
本体１は、容器カバー２と、加熱手段としての加熱コイル３と、鍋底温度センサー４と、蓋体１０を開閉自在に支持するヒンジ部６と、時間計測手段７と、各部及び各装置を駆動制御して調理工程を実行する制御手段８とを備えている。
【００１４】
容器カバー２は、有底筒状に形成されていて、その内部に鍋状容器５が着脱自在に収容される。容器カバー２の底部中央には、鍋底温度センサー４が挿入される孔部２ａが設けられている。
なお、鍋状容器５は、誘導加熱により発熱する磁性体金属を含む材料で構成され、有底円筒形状である。鍋状容器５の上端部外周には、フランジ部５ａが形成されている。また、鍋状容器５に樹脂性の取っ手を設けてもよい(図示省略)。取っ手があれば、調理直後で熱い状態の鍋状容器５を食卓に移動させたいとき、ミトンなどを用意しなくても素手で移動させることができる。
【００１５】
加熱コイル３は、制御手段８により通電制御され、鍋状容器５を誘導加熱するものである。なお、加熱手段として、加熱コイル３に代えてシーズヒーター等の電気ヒーターを設けてもよい。また、図１の例では、鍋状容器５の底面近傍に加熱コイル３を配置しているが、加熱コイル３の配置は図示のものに限定されず、例えば鍋状容器５の底面近傍に加えて鍋状容器５の側面に沿って加熱コイル３を設けてもよい。
【００１６】
鍋底温度センサー４は、例えばサーミスタで構成され、鍋状容器５の温度を検知する。本実施の形態１の鍋底温度センサー４は、バネ等の弾性手段によって上方に付勢されており、容器カバー２に収容された鍋状容器５の底面に接する。鍋底温度センサー４が検知した鍋状容器５の温度に関する情報は、制御手段８に出力される。なお、鍋底温度センサー４の具体的構成はサーミスタに限定されず、鍋状容器５に接触して温度を検知する接触式温度センサーのほか、例えば赤外線センサー等の鍋状容器５の温度を非接触で検知する非接触式温度センサーを採用してもよい。
【００１７】
ヒンジ部６は、本体１の上部の一端側（図１の紙面左側）に設けられ、蓋体１０を開閉自在に支持する。
なお、本体１に、加圧加熱調理器１００を運搬するためのハンドル（図示省略）を設けておいてもよい。ハンドルを設ける場合には、ハンドルを本体１の側面上部の略前後中央に軸支し、ハンドルの回転方向を蓋体１０の回動方向と一致させるとよい。そうすれば、加圧加熱調理器１００を運搬する際には、使用者はハンドルの軸支点のほぼ直上に位置するようにハンドルを回転させて持ち上げ、ハンドルのみを持って加圧加熱調理器１００を運搬することが可能となる。
【００１８】
時間計測手段７は、制御手段８からの指示信号に基づいて経過時間ｔをカウントする。時間計測手段７がカウントした経過時間ｔは、制御手段８に出力される。
【００１９】
制御手段８は、鍋底温度センサー４、並びに蓋体１０に設けられた操作表示部（操作部）１５及び内部温度センサー１６からの出力に基づいて、加熱コイル３に通電する高周波電流及び後述する調圧装置２４の動作を制御する。そのほか、制御手段８は、加圧加熱調理器１００の動作全般を制御する。制御手段８は、その機能を実現する回路デバイスのようなハードウェアで構成することもできるし、マイコンやＣＰＵのような演算装置と、その上で実行されるソフトウェアとにより構成することもできる。
【００２０】
（蓋体１０）
蓋体１０は、外蓋１１と、内蓋１２とを有している。外蓋１１には、着脱自在のカートリッジ１４が設けられ、外蓋１１の上面には操作表示部１５が設けられている。また、蓋体１０には、鍋状容器５内の圧力を調整する圧力調整手段を構成する調圧装置２４及び調圧弁２７が設けられている。
【００２１】
外蓋１１は、蓋体１０の上部及び側部を構成し、外蓋１１の下面（鍋状容器５に対向する面）には、内蓋１２が着脱自在に取り付けられている。内蓋１２は、例えばステンレスなどの金属で構成されており、外蓋１１の本体１側の面に係止材１３を介して取り付けられている。内蓋１２の周縁部には、鍋状容器５の上端部外周に形成されたフランジ部５ａとの密閉性を確保するシール材である蓋パッキン９が取り付けられている。また、内蓋１２と外蓋１１との間には、内部温度センサー１６が設けられている。
【００２２】
（圧力調整手段）
次に、実施の形態１に係る加圧加熱調理器１００の圧力調整手段を説明する。
鍋状容器５内の圧力を調整する圧力調整手段は、調圧口２０が形成された弁座２１、弁座２１の上に載置されるボール状の弁体２２、及び弁体２２を収容する弁室を形成するフレーム２３を備えた調圧弁２７と、この調圧弁２７を駆動する調圧装置２４とを有する。
【００２３】
（調圧弁２７）
調圧弁２７は、弁座２１、弁体２２、及びフレーム２３で構成され、調圧口２０が形成された弁座２１は、内蓋１２の略中央部に形成された開口に取り付けられている。蓋体１０が閉じられた状態においては、調圧口２０を介して鍋状容器５の内部と外部とが連通し、鍋状容器５内の蒸気は調圧口２０を通って外部へ流出する。ボール状の弁体２２は、弁座２１の上に載置され、その位置に応じて調圧口２０を開閉する。調圧口２０の上に弁体２２が位置している状態においては、弁体２２はその重量を利用して調圧口２０を封止し、鍋状容器５内を予め設定された圧力に保つ。また、弁体２２は、調圧装置２４からの力を受けて移動して調圧口２０を開放し、鍋状容器５内の圧力を低下させる。弁体２２の周囲はフレーム２３で囲まれており、弁体２２は弁座２１から脱落しないようになっている。
【００２４】
この調圧弁２７は、内蓋１２の上面に、上方に向かって突出して設けられている。内蓋１２が外蓋１１に取り付けられた状態においては、外蓋１１の下面に設けられた調圧室２６に調圧弁２７が挿入される。外蓋１１の下面には、調圧室２６の外側を囲み、調圧室２６内の蒸気が調圧室２６の外部（外蓋１１と内蓋１２との間に形成される空間）に漏れ出すのを防ぐ調圧空間パッキン２５が取り付けられている。
【００２５】
（調圧装置２４）
調圧装置２４は、制御手段８に制御され、調圧弁２７の動作を制御する。調圧装置２４は、ソレノイドと、ソレノイドに駆動されるプランジャと、プランジャに固定され弁体２２と対向する位置に設けられた作動体と、作動体を突出方向に付勢するバネとを備える（いずれも図示省略）。ソレノイドは制御手段８によって通電制御され、ソレノイドへの通電状態（オン又はオフ）に応じてプランジャ及び作動体の突出状態が切り替わる。
【００２６】
ソレノイドへの通電状態がオフ状態である場合、プランジャ及び作動体はバネに付勢されて突出状態となり、作動体に押されて弁体２２は調圧口２０から外れ、鍋状容器５内の空気と外気とが流通可能となって鍋状容器５内に圧力は印加されない。一方、ソレノイドへの通電状態がオン状態である場合、プランジャ及び作動体は吸引されて弁体２２を押さず、弁体２２は調圧口２０を塞いで鍋状容器５の空気及び外気の流通を遮断する。
【００２７】
なお、ここで説明した圧力調整手段の具体的構成は一例であり、鍋状容器５内の圧力を大気圧の状態及び大気圧よりも高い高圧状態に切り替えることのできるものであれば、圧力調整手段の具体的構成は限定されない。
【００２８】
（カートリッジ１４）
カートリッジ１４には、調理中に発生する蒸気圧に応じて上下動する弁（図示省略）を備えた蒸気取入口１４ａと、蒸気取入口１４ａの弁を通過した蒸気を外部へ排出する蒸気排出口１４ｂとが設けられている。蒸気取入口１４ａは、調圧室２６に通じており、調圧弁２７を通過して調圧室２６内に流入した蒸気は、蒸気取入口１４ａからカートリッジ１４内に入ってカートリッジ１４内を流れ、蒸気排出口１４ｂからカートリッジ１４の外へ流出する。カートリッジ１４内を流れる過程において蒸気は冷却されて復水するので、加圧加熱調理器１００の外へ流出する蒸気量を減らすことができる。
【００２９】
（操作表示部１５）
操作表示部１５は、外蓋１１の上面に設けられている。この操作表示部１５は、使用者からの操作入力を受け付けるとともに、操作入力に関する情報及び加圧加熱調理器１００の動作状態を表示する。操作表示部１５に対して設定可能な項目としては、例えば、調理の開始、取り消し、調理予約、圧力の有無、圧力の強弱、加熱時間、食材の種類、調理方法、自動調理メニューがある。
【００３０】
なお、食材の種類の具体例としては、肉・魚・野菜が挙げられる。自動調理メニューは自動で指定のレシピを調理するものであり、具体例としては、カレー・シチュー・豚の角煮が挙げられる。調理方法の具体例としては、煮る・蒸す・焼く、である。
操作表示部１５が表示する項目としては、例えば、調理中又は予約待機中等の加圧加熱調理器１００の状態、設定されている調理メニューの内容、調理終了の予定時刻、現在時刻等が挙げられる。なお、ここで示した操作表示部１５の具体的構成は一例であり、本願発明を限定するものではない。
【００３１】
操作表示部１５に対して使用者が操作入力を行うと、本体１に内蔵された制御手段８は、入力された調理メニューや圧力の有無・圧力の強弱、加熱時間の長さなどに合わせた調理プログラムに従って、加熱コイル３及び調圧装置２４を動作させて調理工程を実行する。
【００３２】
（内部温度センサー１６）
内部温度センサー１６は、鍋状容器５内の温度を検知する温度検知手段であり、外蓋１１の下面に取り付けられている。内部温度センサー１６の一部は内蓋１２に接するように配置されており、内部温度センサー１６は内蓋１２を介して鍋状容器５内の温度を検知する。内部温度センサー１６は、例えばサーミスタで構成することができる。内部温度センサー１６が検知した鍋状容器５内の温度に関する情報は、制御手段８に出力される。
【００３３】
次に、本実施の形態１に係る加圧加熱調理器１００の調理工程の動作について説明する。
図２は、実施の形態１に係る加圧加熱調理器１００が実行する調理工程と、被加熱物温度、鍋状容器温度、加熱コイル３への通電電力、及び調圧装置２４の動作の推移を示す図、図３は、実施の形態１に係る加圧加熱調理器１００の調理工程を説明するフローチャートである。
【００３４】
なお、本実施の形態１では、被加熱物温度、すなわち鍋状容器５の内部温度を、内部温度センサー１６の検出値に基づいて検出する。また、鍋状容器温度（鍋状容器５の温度）を、鍋底温度センサー４の検出値に基づいて検出する。また、図２では、調圧装置２４のソレノイドへ通電されている状態を「オン（加圧）」と表記し、調圧装置２４のソレノイドへの通電が遮断されている状態を「オフ」と表記している。また、図３では、加熱コイル３への通電を遮断することを「電力ＯＦＦ」と表記している。
以下、実施の形態１に係る加圧加熱調理器１００の調理工程を、図２及び図３を参照して説明する。
【００３５】
まず、使用者が、肉・野菜２００などの食材と、水や酒、醤油などの調味料（煮汁２０１）を入れた鍋状容器５を、本体１内の容器カバー２に収納し、外蓋１１を閉じ、操作表示部１５の加熱時間設定キーで「加熱時間１０分」と設定し、調理開始スイッチを押して調理開始の動作指示を行うと、制御手段８は調理工程を開始する。
【００３６】
調理が開始されると、制御手段８は、調圧装置２４のソレノイドへの通電状態をオンにし（Ｓ１）、弁体２２が調圧口２０を塞ぐようにして電力Ｐ１で加熱コイル３に通電して鍋状容器５を加熱し（Ｓ２）、被加熱物から発生する蒸気を利用して鍋状容器５内に加圧する（第一圧力状態）。
【００３７】
次に、内部温度センサー１６が検知した温度情報に基づいて鍋状容器５内の圧力を算出する。具体的には、鍋状容器５内の内部温度Ｔが、鍋状容器５内が所望の高圧状態となるときの内部温度Ｔａ（たとえば１２０℃）以上であることを内部温度センサー１６が検知すると（Ｓ３；Ｙｅｓ）、ステップＳ４に進む。そして、制御手段８は時間計測手段７で経過時間ｔの計測を開始させ（Ｓ４）、所望の高圧状態が保持できるような電力Ｐ２で加熱コイル３に通電して鍋状容器５を加熱する（Ｓ５）。
【００３８】
時間計測手段７が計測した経過時間ｔが予め設定された時間ｔ１（たとえば３分）に達すると（Ｓ６；Ｙｅｓ）、制御手段８は、加熱コイル３への通電を遮断する（Ｓ７）。そして、時間計測手段７が計測した経過時間ｔが予め設定された時間ｔ２（たとえば４分）に達するまでの間に（Ｓ８；Ｎｏ）、徐々に鍋状容器５及び被加熱物の温度が徐々に低下し、圧力も低下する。
【００３９】
そして、時間計測手段７が計測した経過時間ｔが予め設定された時間ｔ２に達すると（Ｓ８；Ｙｅｓ）、制御手段８は、調圧装置２４のソレノイドへの通電を遮断して弁体２２に調圧口２０を開放させ（Ｓ９）、鍋状容器５内の蒸気を排出する（第二圧力状態）。
ステップＳ７及びステップＳ８を実行することで、これらステップの間で鍋状容器５内の圧力が低下するため、ステップＳ９で調圧口２０を開放したときに、蒸気が勢いよく噴出することを抑えることができる。ここで、第二圧力は例えば大気圧と同じ圧力である。
【００４０】
次に、時間計測手段７が計測した経過時間ｔが予め設定された時間ｔ３（たとえば８分）に達するまで（Ｓ１０；Ｎｏ）、加熱コイル３に通電せず余熱で加熱を行う。余熱で加熱を行うため、省エネルギー化することができる。
そして、時間計測手段７が計測した経過時間ｔが予め設定された時間ｔ３（たとえば８分）に達したら（Ｓ１０；Ｙｅｓ）、制御手段８は調圧装置２４のソレノイドへの通電状態をオンにして弁体２２が調圧口２０を塞ぐようにし（Ｓ１１）、電力Ｐ３（第一電力）で加熱コイル３に通電して鍋状容器５を加熱し、被加熱物から発生する蒸気を利用して鍋状容器５内に再度加圧する（Ｓ１２）（第三圧力状態）。
【００４１】
次に、鍋状容器５内の内部温度Ｔが、所望の高圧状態となるときの内部温度Ｔａ（たとえば１２０℃）以上であることを内部温度センサー１６が検知すると（Ｓ１３；Ｙｅｓ）、ステップＳ１５に進む。
一方、所望の高圧状態となるときの内部温度Ｔａを内部温度センサー１６が検知しない場合は（Ｓ１３；Ｎｏ）、時間計測手段７が計測した経過時間ｔが予め設定された時間ｔ４（たとえば１０分）に達したかどうかを判断する（Ｓ１４）。予め設定された時間ｔ４に達したら（Ｓ１４；Ｙｅｓ）、ステップＳ１７に進み、予め設定された時間ｔ４に達していなかったら（Ｓ１４；Ｎｏ）、ステップＳ１２に戻る。
【００４２】
ステップＳ１３で所望の高圧状態となるときの内部温度Ｔａ（たとえば１２０℃）以上であることを内部温度センサー１６が検知してステップＳ１５に進んだら、制御手段８は、電力Ｐ４（第二電力）で加熱コイル３への通電を行う（Ｓ１５）。そして、時間計測手段７が計測した時間が予め設定された時間ｔ４（たとえば１０分）に達したら（Ｓ１６；Ｙｅｓ）、制御手段８は、加熱コイル３への通電を遮断する（Ｓ１７）。
【００４３】
なお、単位時間当たりの電力はＰ３＞Ｐ４である。このようにすることで、鍋状容器５内に発生した蒸気によって鍋状容器５内の圧力が十分に上がっているにもかかわらず電力Ｐ３で加熱し続けることがないため、無駄な加熱を抑制して省エネルギー化することができ、また被加熱物の焦げ付きを抑制することができる。
【００４４】
次にステップＳ１８において、鍋状容器５内の内部温度Ｔが、所望の圧力状態となるときの内部温度Ｔｂ（Ｔａ＞Ｔｂ、たとえば１０５℃）以上であることを内部温度センサー１６が検知すると（Ｓ１８；Ｙｅｓ）、ステップＳ１９に進み、制御手段８は、調圧装置２４のソレノイドへの通電を遮断して弁体２２に調圧口２０を開放させ（Ｓ１９）、鍋状容器５内の高圧な蒸気を排出し、そして調理が終了する。
【００４５】
なお、ステップＳ１８の所望の圧力状態となるときの内部温度Ｔｂとは、内部温度が低い状態、すなわち内部圧力が下がった状態であり、内部温度がＴａで調圧口２０を開放させるよりも内部温度がＴｂで開放させたほうが、蒸気の量や勢いを抑えることができ、蒸気が加圧加熱調理器１００の外へ排出されるときの音も抑えることができる。
また、ステップＳ１〜Ｓ８までは第一圧力で加熱する第一加熱工程、ステップＳ９〜Ｓ１０までは第二圧力で加熱する第二加熱工程、ステップＳ１１〜Ｓ１８までは第三圧力で加熱する第三加熱工程である。
【００４６】
以上のように、第一加熱工程の後に第二加熱工程を行い、第二加熱工程の後に第三加熱工程を行うように、加圧した後、一旦圧力を下げて再度加圧することで、短い時間で食材が軟らかくなりやすく、味が染みこみやすいという効果を有する。また、自動で圧力の高さが切り替わって調理工程が実行されるため、使用者が加圧加熱調理器１００の傍につきっきりになる必要がなく、使用者の手を煩わせることが無い。
【００４７】
なお、ステップＳ９において、調圧装置２４のソレノイドへの通電を遮断して弁体２２に調圧口２０を開放させたが、ステップＳ８及び９を実行せず、ステップＳ７の次はステップＳ１０に進んでもよい。つまり、調理工程の途中で調圧口２０を開放させなくてもよく、鍋状容器５からの放熱による温度低下によって鍋状容器５内の圧力を下げてもよい。こうすることで、調理工程中に加圧加熱調理器１００の外へ排出される蒸気の量を抑えることができる。食材及び調味料の水分が少ないレシピであっても鍋状容器５内から過剰に蒸気が抜けないため焦げ付く心配が無い。なお、鍋状容器５内の圧力を下げるときは、必ずしも大気圧の状態にまで下げなくてもよい。
【００４８】
また、ステップＳ６の次は、ステップＳ９に移行してもよい。こうすることで、急激な圧力変化が起こるため、肉や野菜などの食材が早く軟らかくなるという効果を奏する。
【００４９】
なお、ステップＳ３とステップＳ１３において内部温度がＴａとなるように加熱しているが、両ステップとも必ずしも同じ温度、すなわち同じ圧力で加熱しなくてもよい。例えば、ステップＳ１からステップＳ６までの工程で加圧して加熱することで、ある程度食材は軟らかくなっているため、ステップＳ１１からステップＳ１６までの工程は、内部温度がＴａよりも低い温度(たとえば１１０℃)、すなわち低い圧力で加熱してもよく、調理終了時点で食材が過剰に軟らかくなることを防ぐことができる。
【００５０】
また、ステップＳ９やステップＳ１９でソレノイドへの通電を遮断して弁体２２に調圧口２０を開放させる直前に、報知手段（図示省略）により使用者に報知してもよい。調圧口２０を開放すると、そこから蒸気が機体外へと排出されるとき、少なからず音が発生するため、使用者が驚いてしまう可能性もある。そのため、事前に知らせる機能をつけるとよい。
【００５１】
上記説明では、操作表示部１５の加熱時間設定キーで「加熱時間１０分」と設定すると、その１０分間で「加圧状態で加熱し、一旦減圧し、その後また加圧状態で加熱する」という工程が実行される形態を示したが、使用者が調理開始から終了までのトータルの調理時間や、加圧する時間、減圧する時間、加圧する回数、減圧する回数、圧力の強弱・有無のそれぞれを設定できるようにしてもよい。細かく使用者が設定できるようにすることで、使用者の好みの仕上がりにすることができる。
【００５２】
また、自動調理メニューとして、具体的なレシピ、例えば「カレー」モードを有し、記憶手段にカレーに適した調理開始から終了までの加圧する時間、減圧する時間、加圧する回数、減圧する回数、圧力の強弱などを備え、使用者が「カレー」モードを選択し調理開始ボタンを押すだけで、調理開始から終了まで自動で運転するようにしてもよい。
同様に、調理方法として「煮る」モードや「蒸す」モードを、もしくは、食材の種類として「肉」モードや「野菜」モードを有し、使用者が調理方法や食材を選択して調理開始ボタンを押すだけで、調理開始から終了まで自動で運転するようにしてもよい。
こうすることで、最適な加圧時間や減圧タイミングなどが分からない使用者も迷わず簡単に操作することができる。
また、常圧で調理する場合と比べて圧力調理を行う場合は短時間で食材に火がとおる分、作る料理に応じた最適な加圧時間や圧力の強さが設定されていないと、軟らかくなりすぎたり煮崩れてしまったりすることもあるが、こうすることで、失敗を防ぐことができる。
【００５３】
実施の形態２．
本実施の形態２では、加圧工程よりも低い圧力の工程において加熱手段に通電する構成例を示す。なお、本実施の形態２では実施の形態１との相違点を中心に説明し、前述の図１〜図３と同一又は相当する構成には同一の符号を付す。
【００５４】
次に、本実施の形態２に係る加圧加熱調理器１００の調理工程を、図４及び図５を参照して説明する。なお、調理開始からステップＳ９までは前述の実施の形態１と同様であるため、説明を省略する。
図４は、実施の形態２に係る加圧加熱調理器１００が実行する調理工程と、被加熱物温度、鍋状容器温度、加熱コイル３への通電電力、及び調圧装置２４の動作の推移を示す図、図５は、実施の形態２に係る加圧加熱調理器１００の調理工程を説明するフローチャートである。
【００５５】
ステップＳ９において、調圧装置２４のソレノイドへの通電を遮断して弁体２２に調圧口２０を開放させると、ステップＳ９１に進む。ステップＳ９１において、鍋底温度センサー４の検知する鍋温度θが、予め設定された鍋温度θ１以下であると判定されれば（Ｓ９１；Ｙｅｓ）、加熱コイル３への通電を行い（Ｓ９２）、ステップＳ１０に進む。ステップＳ９１で鍋底温度センサー４の検知する鍋温度θが、予め設定された鍋温度θ１よりも高いと判定されれば（Ｓ９１；Ｎｏ）、さらにステップＳ９３で予め設定された鍋温度θ２（θ１＜θ２）よりも高いかどうかを判定し、予め設定された鍋温度θ２以下であると判定されれば（Ｓ９３；Ｙｅｓ）、ステップＳ１０に進む。一方、予め設定された鍋温度θ２よりも高いと判定されれば（Ｓ９３；Ｎｏ）、加熱コイル３への電力を遮断し（Ｓ９４）、ステップＳ１０に進む。
【００５６】
このように、制御手段８は、時間計測手段７が計測した経過時間ｔが予め設定された時間ｔ３に達するまでの間に（Ｓ１０；Ｎｏ）、鍋底温度センサー４の検知温度が予め設定された鍋温度θ１からθ２の範囲内の温度帯を維持するように、予め設定された所定の電力での加熱コイル３への通電と電力遮断とを繰り返し、鍋状容器５の温度調節を行う（図４参照）。
【００５７】
ステップＳ１０で時間計測手段７が計測した時間が予め設定された時間ｔ３に達すると、ステップＳ１１に進み、調理終了までは前述の実施の形態１と同様であるため、説明を省略する。
【００５８】
以上のように、減圧した工程である第二加熱工程で加熱コイル３に通電して加熱することで、鍋状容器５内の被加熱物から生じる水分の蒸発を促進させることができる。通常の圧力調理においては、被加熱物から生じる水分を水蒸気として鍋状容器内に保持し圧力を高めるために用いるため、大気圧の状態で調理する場合と比べて、調理終了時に鍋状容器５内に残っている水分量が多くなり、味が薄くなったり、水っぽくなったりすることがある。
【００５９】
しかしながら、本実施の形態２では、途中で圧力を下げることで水蒸気を鍋状容器５外に排出することを促すことができる。また、加熱コイル３に通電することで鍋状容器５内の水分の蒸発を促進することができる。そのため、味が薄くなったり、水っぽくなったりすることを防ぐことができる。また、使用環境によっては、減圧した工程で加熱コイル３に通電して加熱しなければ、鍋状容器５及び被加熱物の温度が下がりすぎてしまう可能性もあるが、加熱コイル３に通電することで所望の温度状態を保持することができる。
【００６０】
また、上記説明ではステップＳ９からステップＳ１０の間は、鍋底温度センサー４の検知温度が予め設定された鍋温度θ１からθ２（θ１＜θ２）の範囲内の温度帯を維持するように、予め設定された電力での加熱コイル３への通電と電力遮断とを繰り返し、鍋状容器５の温度調節を行うようにした。こうすることで、調理開始前の想定よりも被加熱物の水分量が少なかった場合でも、過剰に水分が飛んでしまうことを防ぎ、ひいては調理終了時に被加熱物が焦げた状態になってしまうことを防ぐことができる。
なお、鍋底温度センサー４に基づくことなく、予め設定された所定の電力で加熱コイル３への通電を行うようにしてもよい。
【００６１】
実施の形態２においても、実施の形態１と同様に、ステップＳ６の次は、ステップＳ９に移行してもよい。こうすることで、急激な圧力変化が起こるため、肉や野菜などの食材が早く軟らかくなるという効果を奏する。
【００６２】
また、実施の形態２の変形例の１つとして、ステップＳ１１からステップＳ１９までを実行せずに調理終了としてもよい。
【００６３】
図６は、実施の形態２に係る加圧加熱調理器１００が実行する調理工程の変形例と、被加熱物温度、鍋状容器温度、加熱コイル３への通電電力、及び調圧装置２４の動作の推移を示す図である。
焼き物メニューのように、調理開始の時点で鍋状容器５内に入っている水分が少ないメニューの場合、再度加圧するときに水分が少なすぎて焦げついてしまう可能性があるが、ステップＳ９１からステップＳ１０の温調加熱後に調理終了とすることで焦げを防ぐことができる。また、照り焼きや煮っころがしのように調理終了時に煮詰めた調味液・煮汁で食材がコーティングされているようなメニューの場合は、減圧した工程で加熱をすることで調味液・煮汁をほど良く煮詰めることができる。また、減圧した工程での加熱が鍋底温度センサー４に基づき温調して加熱する制御であるため、焦げを防ぎつつ煮詰めることができる。
【００６４】
また、実施の形態２の別の変形例として、ステップＳ１からステップＳ８までを実行せずにステップＳ９から調理開始としてもよい。
【００６５】
図７は、実施の形態２に係る加圧加熱調理器１００が実行する調理工程のもう１つの変形例と、被加熱物温度、鍋状容器温度、加熱コイル３への通電電力、及び調圧装置２４の動作の推移を示す図である。
調理開始後すぐに大気圧よりも高い圧力で米や豆などの乾物を加熱すると、それらの水分分布が不均一（表層ばかりが吸水し、中心部は水分不足）となり、調理終了時の仕上がりが悪くなってしまうが、大気圧の状態で所望の温度で加熱することで、ムラなく吸水を促すことができ、ひいては仕上がりが良く美味しく調理することに繋がる。
【００６６】
また、上記実施の形態２に記載の２つの変形例においても、ステップＳ９からステップＳ１０の間は鍋底温度センサー４に基づくことなく、予め設定された所定の電力で加熱コイル３への通電を行うようにしてもよい。又は、時間計測手段７の経過時間もしくは鍋底温度センサー４の検知温度もしくは内部温度センサー１６の検知温度のいずれかを用い、いずれかの検出値がある閾値に達するまで予め設定された所定の電力で加熱コイル３への通電を行うようにし、その後鍋底温度センサー４の情報に基づき鍋状容器５の温度調節を行うようにしてもよい。
【００６７】
実施の形態３．
本実施の形態３では、高温の蒸気が加圧加熱調理器１００Ａの外に排出されないように蒸気を冷却する蒸気冷却手段として、蒸気を復水させる水タンク３０を設けた構成例を示す。なお、本実施の形態３では実施の形態１〜２との相違点を中心に説明し、前述の図１〜図７と同一又は相当する構成には同一の符号を付す。
【００６８】
図８は、実施の形態３に係る加圧加熱調理器１００Ａの構成の一例を概略的に示す断面模式図である。以下、図８に基づいて加圧加熱調理器１００Ａについて説明する。この加圧加熱調理器１００Ａは、被加熱物（本実施の形態３では肉・野菜２００及び煮汁２０１）を入れた鍋状容器５を加熱コイル３で加熱することで被加熱物を調理するものである。
【００６９】
加圧加熱調理器１００Ａは、本体１に着脱自在に取り付けられる水タンク３０を備えている。また、外蓋１１には、鍋状容器５内の蒸気を水タンク３０に導く経路を内部に有する蒸気導管３４が設けられている。
なお、本実施の形態３の加圧加熱調理器１００Ａは、実施の形態１で示したカートリッジ１４を備えていない。
【００７０】
（水タンク３０）
水タンク３０は、例えばプラスチックで構成され上面を開口した容器であり、本体１の前面側（図８の紙面右側）に着脱自在に取り付けられている。水タンク３０の上面開口には、タンク蓋３１が着脱自在に嵌め込まれている。タンク蓋３１には、水タンク３０の内部と外部とを連通させる通気孔（図示省略）と、蒸気導管３４のタンク側接続口と接合されるタンク蒸気口３２と、タンク蒸気口３２から水タンク３０内の下方に向かって延びる連通管３３とが設けられている。
【００７１】
（蒸気導管３４）
蒸気導管３４は、調理中に発生する鍋状容器５内の被加熱物からの蒸気を取り込んで連通管３３及び水タンク３０に導く部材である。蒸気導管３４は、耐熱性を有する合成樹脂材料等で構成されており、外蓋１１に着脱自在に設置されている。蒸気導管３４の一端側は調圧室２６内に接続され、他端側は連通管３３に接続されている。鍋状容器５内で被加熱物から発生した蒸気は、図８に破線矢印で示すように、調圧口２０を介して調圧室２６に入り、蒸気導管３４に導かれて連通管３３内を流れ、水タンク３０内に貯留された水２０３内に分散して復水する。
【００７２】
次に、本実施の形態３に係る加圧加熱調理器１００Ａの調理動作についてさらに説明する。
まず、使用者が、肉・野菜２００などの食材と、水や酒、醤油などの調味料（煮汁２０１）を入れた鍋状容器５を本体１内の容器カバー２に収納し、外蓋１１を閉じ、操作表示部１５の加熱時間設定キーで「加熱時間１０分」と設定し、調理開始スイッチを押して調理開始の動作指示を行うと、制御手段８は調理工程を開始する。使用者により調理開始スイッチがオンされて調理開始が指示された後の調理工程の動作は、実施の形態１、２と同様であり、図２から図７に示す調理工程を実行する。
【００７３】
以上のように、本実施の形態３の加圧加熱調理器１００Ａは、水タンク３０を備え、鍋状容器５内で発生した蒸気は水タンク３０内に予め貯留された水２０３で冷却されて復水する。このため、鍋状容器５内で発生した蒸気は、加圧加熱調理器１００Ａの機体外に出ない。高圧状態の鍋状容器５を減圧するために短時間に大量の蒸気が勢いよく鍋状容器５から排出される場合でも、その蒸気は水タンク３０内に復水されるため、蒸気によって加圧加熱調理器１００Ａを置いているキッチンの湿度が高くなって不快な環境になるといったことを防ぐことができる。また、もし使用者が加圧加熱調理器１００Ａを棚に設置して調理していても、加圧加熱調理器１００Ａの機体外へは蒸気が排出されないため棚内に結露が発生することを予防することができ、蒸気の熱によって棚を傷めてしまうことも防ぐことができる。
【００７４】
なお、本実施の形態３では、蒸気を加圧加熱調理器１００Ａの外に排出させない蒸気冷却手段として、水タンク３０内の水で蒸気を冷却して復水する水冷式の手段を示したが、蒸気を加圧加熱調理器１００Ａの外部に排出しないための具体的構成はこれに限定されない。例えば、調圧室２６から出た蒸気の通過経路にペルチェ（図示省略）を配置し、ペルチェで蒸気を冷却して結露させて蒸気を水として回収してもよい。このようにすることで、高温の蒸気が加圧加熱調理器１００Ａの機体外へ排出されないので、前述のとおり、キッチンの湿度が高くなって不快な環境になるといったことを防ぐことができる。また、加圧加熱調理器１００Ａを棚に設置して調理していても棚内に結露が発生せず、蒸気の熱によって棚を傷めてしまうことも防ぐことができる。
【００７５】
また、調圧室２６から出た蒸気に送風する送風手段としてのファン（図示省略）を設け、ファンからの送風で蒸気を冷却し、低温となった気体を加圧加熱調理器１００Ａの外に排出するようにしてもよい。このようにすることで、高温の蒸気が加圧加熱調理器１００Ａの機体外へ排出されないので、もし使用者が加圧加熱調理器１００Ａを棚に設置して調理していても、蒸気の熱によって棚を傷めてしまうことを防ぐことができる。
【００７６】
なお、実施の形態１から実施の形態３では、鍋状容器５を加熱することで被加熱物から蒸気を発生させ、その蒸気を利用して鍋状容器５内を高圧状態にする例を示したが、鍋状容器５内に加圧する具体的構成はこれに限定されない。例えば、水を貯留する貯水槽とこの貯水槽を加熱する貯水槽加熱手段とを備え、貯水槽内の水を加熱して蒸気にし、その蒸気を鍋状容器内に供給することで鍋状容器５内に加圧するようにしてもよい。こうすることで、被加熱物の加熱を抑制しつつ鍋状容器５内の圧力を上昇させることができるので、被加熱物が焦げることがない。
【００７７】
また、実施の形態１〜３では加圧加熱調理器を例に挙げて説明したが、被加熱物を米とした炊飯器として利用することも可能である。
【符号の説明】
【００７８】
１  本体、２  容器カバー、２ａ  孔部、３  加熱コイル、４  鍋底温度センサー、５  鍋状容器、５ａ  フランジ部、６  ヒンジ部、７  時間計測手段、８  制御手段、９  蓋パッキン、１０  蓋体、１１  外蓋、１２  内蓋、１３  係止材、１４  カートリッジ、１４ａ  蒸気取入口、１４ｂ  蒸気排出口、１５  操作表示部、１６  内部温度センサー、２０  調圧口、２１  弁座、２２  弁体、２３  フレーム、２４  調圧装置、２５  調圧空間パッキン、２６  調圧室、２７  調圧弁、３０  水タンク、３１  タンク蓋、３２  タンク蒸気口、３３  連通管、３４  蒸気導管、１００  加圧加熱調理器、１００Ａ  加圧加熱調理器、２００  肉・野菜、２０１  煮汁、２０３  水。
【図１】
2015000159.tif 000003
【図２】
2015000159.tif 000004
【図３】
2015000159.tif 000005
【図４】
2015000159.tif 000006
【図５】
2015000159.tif 000007
【図６】
2015000159.tif 000008
【図７】
2015000159.tif 000009
【図８】
2015000159.tif 000010